(57)【要約】【課題】持ち運び可能で、試験体及び試験体下の空間内の温度が測定可能な測温試験機を提供する。【解決手段】本体と蓋部を備えた持ち運び可能な箱型測温試験機であり、本体上部の一辺に蝶番により蓋部が取り付けられ、該蓋部が開かれた状態において、本体の側壁には、立設された支柱により保持された光源を備え、本体の内部には、断熱性の材料により形成され、上部が開放された同じ容積の２つ以上の小空間を備え、該小空間の上部を覆うように、それぞれ試験体が載置され、各試験体及び小空間内に温度センサーが取り付けられ、蓋部の内側に、上記温度センサーが測定した温度を表示する表示部を備えることを特徴とする測温試験機。 【選択図】図１
0003147820.tif 000002
【実用新案登録請求の範囲】
【請求項１】
本体と蓋部を備えた持ち運び可能な箱型測温試験機であり、
本体上部の一辺に蝶番により蓋部が取り付けられ、該蓋部が開かれた状態において、
本体の側壁には、立設された支柱により保持された光源を備え、
本体の内部には、断熱性の材料により形成され、上部が開放された同じ容積の２つ以上の小空間を備え、
該小空間の上部を覆うように、それぞれ試験体が載置され、各試験体及び小空間内に温度センサーが取り付けられ、
蓋部の内側に、上記温度センサーが測定した温度を表示する表示部を備えることを特徴とする測温試験機。
【請求項２】
本体の左右側壁の両方に立設された支柱の上部に、それぞれクリップソケットを介して光源を備えることを特徴とする請求項１に記載の測温試験機。
【請求項３】
２つ以上の小空間が、いずれもプラスチック発泡体により形成され、上部が開放された小箱であり、その小箱上部に直接試験体が載置されていることを特徴とする請求項１〜請求項２のいずれかに記載の測温試験機。
【請求項４】
小箱上部に載置された試験体が、試験体どうしが接触しないように、かつ各試験体が本体側面に接触しないように、載置されていることを特徴とする請求項１〜請求項３のいずれかに記載の測温試験機。
【請求項５】
箱の蓋部は、９０度を越えて開かれ、蓋部内側にはプラスチック発泡体に嵌め込まれた温度表示部を備えることを特徴とする請求項１〜請求項４のいずれかに記載の測温試験機。
【考案の詳細な説明】
【技術分野】
【０００１】
本考案は、測温試験機に関するものである。
【背景技術】
【０００２】
近年、建築物の温度上昇を抑制する方法として、屋根、屋上、外壁等の建築物外装面基材に遮熱塗料を塗装する方法が注目されている。しかしながら、このような遮熱塗料の遮熱性は、カタログ等の資料でのみで確認するしかなく、ユーザーにとって遮熱性能を実感するには不十分であった。
【０００３】
このような問題に対し、特許文献１には、ノートパソコン用のカバン等の箱型ケースの中身部と蓋部を略９０度に開き、蓋部最上部から水平に伸びる腕部により光源を保持し、中身部上部に載置した遮熱塗膜塗装板を照射し、塗装板裏面の温度を測定する持ち運び可能な箱型ケースの遮熱塗膜の評価装置が記載されている。
【０００４】
【特許文献１】特許第３８９７３４９号
【考案の開示】
【考案が解決しようとする課題】
【０００５】
しかしながら、上記特許文献１のように、蓋部最上部から水平に伸びる腕部により光源を保持した場合、試験体から光源の高さが箱型ケースの大きさに依存するため、ケースの形状により試験条件が統一されず、試験の正確さを欠くおそれがある。また、蓋部に直接光源を取り付けるので、試験中に蓋部が閉じてしまうおそれがある。さらに、蓋部と中身部の蝶番への負荷が大きく、破損するおそれがある。さらに、ユーザーが遮熱性を評価する場合、遮熱塗料を施した一定空間内の雰囲気温度が重要となってくるが、特許文献１では、空間内温度を測定することは考慮されていない。
【課題を解決するための手段】
【０００６】
本考案は上記諸問題点を解決するためになされたものである。本考案は以下の特徴を有するものである。
１．本体と蓋部を備えた持ち運び可能な箱型測温試験機であり、
本体上部の一辺に蝶番により蓋部が取り付けられ、該蓋部が開かれた状態において、
本体の側壁には、立設された支柱により保持された光源を備え、
本体の内部には、断熱性の材料により形成され、上部が開放された同じ容積の２つ以上の小空間を備え、
該小空間の上部を覆うように、それぞれ試験体が載置され、各試験体及び小空間内に温度センサーが取り付けられ、
蓋部の内側に、上記温度センサーが測定した温度を表示する表示部を備えることを特徴とする測温試験機。
２．本体の左右側壁の両方に立設された支柱の上部に、それぞれクリップソケットを介して光源を備えることを特徴とする１．に記載の測温試験機。
３．２つ以上の小空間が、いずれもプラスチック発泡体により形成され、上部が開放された小箱であり、その小箱上部に直接試験体が載置されていることを特徴とする１．〜２．のいずれかに記載の測温試験機。
４．小箱上部に載置された試験体が、試験体どうしが接触しないように、かつ各試験体が本体側面に接触しないように、載置されていることを特徴とする１．〜３．のいずれかに記載の測温試験機。
５．箱の蓋部は、９０度を越えて開かれ、蓋部内側にはプラスチック発泡体に嵌め込まれた温度表示部を備えることを特徴とする１．〜４．のいずれかに記載の測温試験機。
【考案の効果】
【０００７】
１．では、試験体及び試験体下の一定空間内の温度を一定条件下で測定することができる。具体的には、箱の本体側壁に立設された支柱に光源が保持されている。そのため、箱の大きさが変わっても試験体と光源との距離を一定とすることができ、統一された条件下で測温試験（遮熱性能評価試験）を実施することができる。また、支柱、光源の荷重が本体にかかるので、試験中に測温試験機が転倒しにくい。さらに、１．では、箱の内部に断熱性の材料によって形成され、上部が開放された同じ容積の２つ以上の小空間を備え、該小空間の上部にそれぞれ試験体が載置され、各試験体及び小空間内に温度センサーが取り付けられている。これにより、各試験体の裏面もしくは表面温度、及び各試験体下の一定空間内の温度を測定することができるため、試験体の遮熱性を実感しやすい。
【０００８】
２．では、本体の左右側壁の両方に立設された支柱の上部に、それぞれクリップソケットを介して光源が備えられてことにより、各試験体の真上から光を照射することができ、光源のエネルギーを試験体に均一に照射することができ、効率よく遮熱性を評価することができる。また、左右側面に同じ荷重がかかるので、試験中に測温試験機が転倒しにくい。
【０００９】
３．では、２つ以上の小空間がプラスチック発泡体により形成され、上部が開放された小箱であることにより、各試験体の裏面もしくは表面及び各試験体下の一定空間内の温度を独立した状態で測定することが可能であり、試験体の遮熱性をより正確に評価することができる。また、各部材を収納し持ち運ぶ際、該小箱にはそれぞれ１つずつ光源が収納でき、外部からの衝撃による光源の破損を防止することができる。
【００１０】
４．では、各小箱上部に試験体どうしが接触しないように、かつ各試験体が本体側面に接触しないように直接試験体を載置することにより、試験体の熱が外部に伝わる（逃がす）ことなく、各試験体の裏面及び各試験体下の一定空間内の温度を独立した状態で測定することが可能であり、試験体の遮熱性をより正確に評価することができる。
【００１１】
５．では、箱の蓋部が９０度を越えて開かれていることにより、蓋部内側に備えられた温度表示部を視認しやすくなる。また、蓋部が９０度を越えて開かれているにもかかわらず、本体部に支柱、クリップソケット、光源の荷重がかかるため、試験中に測温試験機が転倒しにくい。さらに、各部材を収納し箱を閉じて持ち運ぶ際、温度表示が嵌め込まれた発泡体は、光源等の破損を防止する緩衝材として作用する。
【考案を実施するための最良の形態】
【００１２】
以下、本考案を実施するための最良の実施の形態について詳細に説明する。
【００１３】
図１は、本考案の測温試験機の一例を示すものである。
持ち運び可能な箱１は、本体２と蓋部３を備えたものであり、本体上部の一辺に蝶番により蓋部３が取り付けられているものである。このような箱１は、側壁に立設された支柱４、クリップソケット５及び光源６を支えることができれば、どのようなものであってもよい。その材料としては、アルミニウム等の軽金属、木材、各種プラスチック等が挙げられる。
【００１４】
支柱４は、本体２の側壁を挟むように接続するものであり、その上部にクリップソケット５を介して光源６を保持することができればその形状はどのようなものであってもよい。また、その材料としては、上部に取り付けられた光源６を安定に支えることができれば特に限定されないが、例えば、アルミニウム等の軽金属、木材、各種プラスチック等が挙げられる。
支柱４は箱本体２の左右側壁に立設する。その高さは、試験条件により適宜設定すればよい。本考案では、光源６の種類にもよるが試験体に照射される光が、太陽光の条件と同じ程度となるような高さに設定することが好ましい。
【００１５】
クリップソケット５は、クリップ部５ａとソケット部５ｂを有するものであり、上記支柱４にクリップ部５ａを接続し、ソケット部５ｂに取り付けた光源６を下向きに固定するものである。ソケット部５ｂは自由に回転することができ、試験条件に応じて光源６の照射角度を調節することもできる。ソケット部５ｂの上部には光源の電源を得る電源コード５ｃが接続されている。
【００１６】
光源６は、太陽光を代替するものであれば特に限定されないが、本考案では太陽光線の中で、放射熱エネルギーの強い近赤外線領域の光線を発生させる光源（赤外線ランプ）を用いることが好ましい。このような光源を用いることで、遮熱効果を効率よく評価することができる。
【００１７】
本考案の測温試験機は、上記のように、支柱４、クリップソケット５及び光源６を箱の本体側壁に保持するため安定であり、試験中に転倒するおそれがない。また、蓋部３及び蝶番への負担も軽減できる。  
【００１８】
図２は、箱本体２の断面図を示すものである。
本体内部には、断熱性の材料にて上部が開放された同じ容積の２つ以上の小空間９が形成されている。２つ以上の小空間１０は、各空間が独立した小箱１０により形成されていることが好ましい。これにより２つ以上の各空間温度がそれぞれ絶縁されたものとなるため、遮熱効果を正確に評価することができる。断熱性の材料としては、ポリウレタン、ポリスチレン、ポリエステル、塩化ビニル、酢酸ビニル等の各種プラスチックの発泡体が挙げられる。
また、本考案では、発泡体の小箱９上部に直接試験体８を載置し、試験体及び、小空間内に温度センサー１１を取り付け、温度を測定する。このとき、各試験体どうしが接触しないように、かつ各試験体が本体側壁に接触しないように直接試験体を載置する。これにより、試験体の熱が外部に伝わる（逃げる）おそれがないため、遮熱効果をより正確に評価することができる。
【００１９】
試験体としては、矩形、板状の基材に塗装を施したものであり、基材としては、金属板等を使用することが好ましい。
【００２０】
本考案の箱型測温試験機の蓋部３は、９０度を越えて開かれ、蓋部内側には表示部７が備えられている。表示部７は、発泡体７ｂに嵌め込まれた温度表示部７ａを有するものである。温度センサー１１により測定された温度はそれぞれ、該温度表示部７ａに表示される。本考案では、蓋部３が９０度を越えて開かれることにより、表示部７に表示された温度が視認されやすい。また、温度表示部７ａが嵌め込まれた発泡体７ｂは、後述するように収納時の緩衝材として作用する。
また、本考案では、上記温度センサーに、データロガー等を接続し、経時的に温度変化を測定することもできる。
【００２１】
本考案の箱型測温試験機を持ち運ぶ際には、本体内と発泡体小箱との隙間に支柱４及び試験体８を収納し、発泡体の小箱９内に、クリップソケット５及び光源６を収納する。特に、内部に形成された発泡体の小箱９内に光源６を収納することにより、持ち運び時の外部からの衝撃を受けにくいため好ましい。さらに、蓋部内側の温度表示部７ａが嵌め込まれた発泡体７ｂは、蓋部３を閉じた状態において、クリップソケット５及び光源６を上部から、押さえ固定するため、収納時の外部からの衝撃を抑えることができる。
【図面の簡単な説明】
【００２２】
【図１】本考案の測温試験機の一例を示す斜視図である。
【図２】本考案の測温試験機の本体の一例を示す断面図である。
【符号の説明】
【００２３】
１：箱
２：本体
３：蓋部
４：支柱
５：クリップソケット
（５ａ：クリップ部、５ｂ；ソケット部、５ｃ：電源コード）
６：光源
７：表示部
（７ａ：温度表示部、７ｂ:プラスチック発泡体）
８：試験体
９：小空間
１０：プラスチック発泡体の小箱
１１：温度センサー
【図１】
0003147820.tif 000003
【図２】
0003147820.tif 000004